(57)【特許請求の範囲】
【請求項１】
天井面に設置された引掛シーリングの引掛栓刃受部に係止される引掛栓刃を上面側に有し、該引掛栓刃に電気的に接続された電源線が下面側から導出され、器具取付用の係止部が側部に設けられた引掛シーリング用アダプタが挿通される開口部が上下方向に貫設されるとともに、該開口部に引掛シーリング用アダプタが挿通された状態で係止部に係止される被係止部を有する器具本体と、器具本体に収納されるとともに、前記電源線より得られる電力を元に照明負荷用の動作電源を生成する回路ブロックと、器具本体の下面側に設けられて、前記動作電源を照明負荷に供給するソケットと、器具本体における開口部の下端周辺部に取り付けられて前記開口部を開閉するアダプタカバーと、アダプタカバーの下面を露出させる窓孔を中央部に有するとともに、該窓孔内に突出する係止片を有し、器具本体に取り付けられた照明負荷を覆うランプカバーとを備え、開口部は、器具本体において照明負荷と対向しない部位に設けられ、アダプタカバーは、ランプカバーの係止片が係止される被係止部と、開口部を閉じた状態で、器具本体の下面より下方に突出する突出面とを有し、該突出面には、外部の赤外線信号を受信する受光部が露設され、回路ブロックは、接続線を用いて受光部に接続されて、受光部で受信した外部の赤外線信号に基づいて照明負荷を制御する点灯制御部を有していることを特徴とする照明器具。
【請求項２】
アダプタカバーは、器具本体の上下方向に略直交する方向を回転軸方向として器具本体における開口部の下端周辺部に回転自在に取り付けられており、回転動作に応じて開口部を開閉するように構成されていることを特徴とする請求項１に記載の照明器具。
【請求項３】
ＬＥＤ光源部と、ＬＥＤ光源部を駆動するＬＥＤ制御部とを備え、ＬＥＤ光源部は、アダプタカバーに設けられ、アダプタカバーには、ＬＥＤ光源部が放射する光を外部へ出射する窓部が設けられていることを特徴とする請求項１又は２に記載の照明器具。
【請求項４】
アダプタカバーを器具本体に、開口部を閉じた状態で固定する固定手段を備え、該固定手段は、器具本体において開口部を挟んでソケットと対向する位置に設けられていることを特徴とする請求項１〜３のいずれか１項に記載の照明器具。
【請求項５】
照明負荷は、環型蛍光灯であって、器具本体の開口部は、環型蛍光灯を器具本体に取り付けた際に、環型蛍光灯の内側に臨む部位に設けられていることを特徴とする請求項１〜４のいずれか１項に記載の照明器具。
【請求項６】
アダプタカバーの下面には、ランプカバーの窓孔を閉塞する透光性を有するキャップが取り付けられていることを特徴とする請求項１〜５のいずれか１項に記載の照明器具。
【請求項７】
キャップは、ランプカバーの窓孔を挿通できない程度の大きさに形成されていることを特徴とする請求項６に記載の照明器具。
【発明の詳細な説明】
【技術分野】
【０００１】
本発明は、天井に設けられた引掛シーリングに取り付けられる照明器具に関するものである。
【背景技術】
【０００２】
従来から、図７（ａ）に示すように、天井面１００に設置された引掛シーリング１１０の引掛栓刃受部（図示せず）に係止される引掛栓刃１２１，１２１を上面側に有し、該引掛栓刃に一端が電気的に接続された電源線１２２が下面側から導出され、器具取付用の一対の係止部１２３，１２３が側部に設けられた引掛シーリング用アダプタ（以下、「アダプタ」と略す）１２０に取り付けられることで、天井面１００に設置される照明器具２００が提供されている。
【０００３】
上記照明器具２００は、上下方向に貫設された開口部２１１に上記のアダプタ１２０が挿通された状態でアダプタ１２０に取り付けられる器具本体２１０と、器具本体２１０に収納されるとともに、電源線１２２より得られる電力を元に蛍光ランプ１３０，１４０用の動作電源を生成する回路ブロック（図示せず）と、器具本体２１０の下面側に設けられて、動作電源を蛍光ランプ１３０，１４０にそれぞれ供給するソケット２２０，２３０（図７（ｃ）参照）とを有しており、この器具本体２１０における開口部２１１の下端周辺部には、図７（ａ）及び図７（ｃ）に示すように、アダプタ１２０を隠して照明器具２００の外観を向上するために、開口部２１１を閉塞するアダプタカバー２４０が着脱自在に取り付けられている（例えば、特許文献１）。
【０００４】
一方、近年では赤外線通信によって照明器具のオン・オフ等を遠隔制御したいという要望が高まっており、これに伴って外部の赤外線信号を受信する受光部を照明器具に設けることが行われている。この種の照明器具としては、上記のような開口部内に、赤外線通信用の受光部を有する受光ブロックを配置し、受光ブロックの受光部と器具本体内の回路ブロックとを接続線にて接続したものが提供されている（例えば、特許文献２，３）。
【特許文献１】特開２００５−９３４４５号公報（図１及び図２参照）
【特許文献２】特開２００３−２４２８０８号公報（図４及び図７参照）
【特許文献３】特開２０００−１１７４０号公報（図１参照）
【発明の開示】
【発明が解決しようとする課題】
【０００５】
後者の照明器具では、赤外線通信によって照明器具の制御が行うことができていたが、開口部を閉塞するアダプタカバーを有していないので、開口部から引掛シーリング用アダプタが見えてしまい、照明器具の美観が悪くなっていた。
【０００６】
そこで、前者の照明器具のアダプタカバーに受光ブロックを設けることが提案されており、このような照明器具によれば、赤外線通信により照明器具の制御が行うことができるとともに、アダプタカバーによってアダプタを隠しているので、照明器具の美観を向上できていた。
【０００７】
しかしながら、このような照明器具をアダプタに着脱する際には、図７（ｂ）に示すように、アダプタカバー２４０を取り外す必要があり、このときアダプタカバーに受光ブロックを設けていると、アダプタカバーに設けた受光ブロックと器具本体に設けた回路ブロックとの接続を解除するために接続線の取り外しを行わなければならず、非常に手間がかかってしまう。
【０００８】
つまり、従来の照明器具において、アダプタカバーに受光ブロックを設けた際には、赤外線通信により制御を行えるとともに美観を向上できるという効果は得られるものの、器具本体を引掛シーリング用アダプタに着脱する際にかかる手間が増大してしまうという別の問題が生じていた。
【０００９】
本発明は上述の点に鑑みて為されたもので、その目的は、赤外線通信により制御を行えるとともに美観を向上でき、しかも引掛シーリング用アダプタへの着脱作業が容易に行える照明器具を提供することにある。
【課題を解決するための手段】
【００１０】
上記の課題を解決するために、請求項１の照明器具の発明では、天井面に設置された引掛シーリングの引掛栓刃受部に係止される引掛栓刃を上面側に有し、該引掛栓刃に電気的に接続された電源線が下面側から導出され、器具取付用の係止部が側部に設けられた引掛シーリング用アダプタが挿通される開口部が上下方向に貫設されるとともに、該開口部に引掛シーリング用アダプタが挿通された状態で係止部に係止される被係止部を有する器具本体と、器具本体に収納されるとともに、前記電源線より得られる電力を元に照明負荷用の動作電源を生成する回路ブロックと、器具本体の下面側に設けられて、前記動作電源を照明負荷に供給するソケットと、器具本体における開口部の下端周辺部に取り付けられて前記開口部を開閉するアダプタカバーと、アダプタカバーの下面を露出させる窓孔を中央部に有するとともに、該窓孔内に突出する係止片を有し、器具本体に取り付けられた照明負荷を覆うランプカバーとを備え、開口部は、器具本体において照明負荷と対向しない部位に設けられ、アダプタカバーは、ランプカバーの係止片が係止される被係止部と、開口部を閉じた状態で、器具本体の下面より下方に突出する突出面とを有し、該突出面には、外部の赤外線信号を受信する受光部が露設され、回路ブロックは、接続線を用いて受光部に接続されて、受光部で受信した外部の赤外線信号に基づいて照明負荷を制御する点灯制御部を有していることを特徴とする。
【００１１】
請求項２の照明器具の発明では、請求項１の構成に加えて、アダプタカバーは、器具本体の上下方向に略直交する方向を回転軸方向として器具本体における開口部の下端周辺部に回転自在に取り付けられており、回転動作に応じて開口部を開閉するように構成されていることを特徴とする。
【００１２】
請求項３の照明器具の発明では、請求項１又は２の構成に加えて、ＬＥＤ光源部と、ＬＥＤ光源部を駆動するＬＥＤ制御部とを備え、ＬＥＤ光源部は、アダプタカバーに設けられ、アダプタカバーには、ＬＥＤ光源部が放射する光を外部へ出射する窓部が設けられていることを特徴とする。
【００１３】
請求項４の照明器具の発明では、請求項１〜３のいずれか１項の構成に加えて、アダプタカバーを器具本体に、開口部を閉じた状態で固定する固定手段を備え、該固定手段は、器具本体において開口部を挟んでソケットと対向する位置に設けられていることを特徴とする。
【００１５】
請求項５の照明器具の発明では、請求項１〜４のいずれか１項の構成に加えて、照明負荷は、環型蛍光灯であって、器具本体の開口部は、環型蛍光灯を器具本体に取り付けた際に、環型蛍光灯の内側に臨む部位に設けられていることを特徴とする。
【００１６】
請求項６の照明器具の発明では、請求項１〜５のいずれか１項の構成に加えて、アダプタカバーの下面には、ランプカバーの窓孔を閉塞する透光性を有するキャップが取り付けられていることを特徴とする。
【００１７】
請求項７の照明器具の発明では、請求項６の構成に加えて、キャップは、ランプカバーの窓孔を挿通できない程度の大きさに形成されていることを特徴とする。
【発明の効果】
【００１８】
請求項１の照明器具の発明は、引掛シーリング用アダプタを覆うアダプタカバーにおいて、開口部を閉じた状態で器具本体の下面よりも下方に突出する突出面に受光部を露設しているので、受光部が赤外線信号を受信し易くなって、赤外線通信による制御の信頼性を向上できるとともに、引掛シーリング用アダプタを隠して美観を向上できるという効果を奏する。しかもアダプタカバーは開口部を開閉するようにして器具本体に取り付けられているから、器具本体を引掛シーリング用アダプタに着脱する際に、従来のようにアダプタカバーを完全に取り外さなくて済み、これにより器具本体の回路ブロックとアダプタカバーの受光部との接続作業を行う必要がなくなって、アダプタカバーで開口部を開くだけの簡単な作業で引掛シーリング用アダプタへの着脱を行うことができるようになり、その結果、器具本体の引掛シーリング用アダプタへの着脱作業が容易に行えるという効果を奏する。さらに着脱作業時にアダプタカバーが器具本体から不意に落下してしまうことを防止できるという効果を奏する。また、開口部を開閉するアダプタカバーを、ランプカバーを器具本体に取り付ける部品として兼用しているので、器具本体にランプカバーを取り付けるための部品を新たに設ける必要がなくなり、これにより部品点数の削減を図ることができるという効果を奏し、しかもランプカバーをアダプタカバーに取り付ける際には、ランプカバーの窓孔から露出するアダプタカバーを見ながら取付作業を行うことができるから、取付作業を容易に行うことができるという効果を奏する。
【００１９】
請求項２の照明器具の発明は、アダプタカバーを開閉する際にアダプタカバーが移動する範囲と器具本体とが重複する面積が、アダプタカバーを上下方向を回転軸として器具本体に取り付けた場合に比べて小さくなるので、アダプタカバーの開閉時に照明負荷やソケット等の他の部品が邪魔になることを抑制できるという効果を奏する。
【００２０】
請求項３の照明器具の発明は、ＬＥＤ光源部によっても照明を行え、例えば常夜灯等にも利用できるという効果を奏する。
【００２１】
請求項４の照明器具の発明は、照明負荷の点灯中に高温となるソケット近傍から固定手段が離れているので、固定手段が熱による影響を受け難くなるという効果を奏し、また固定手段を操作する際にソケット等が邪魔になることがないという効果を奏する。
【００２３】
請求項５の照明器具の発明は、環型蛍光灯の内側に臨む部位においてランプカバーがアダプタカバーを用いて器具本体に取り付けられているので、天井照明を行う際に、ランプカバーを器具本体に取り付けるための部位（ランプカバーの係止部及びアダプタカバーの被係止部）が邪魔になる（ランプカバーを器具本体に取り付けるための部位によって影が生じる）ことがなくなるという効果を奏する。
【００２４】
請求項６の照明器具の発明は、ランプカバーの窓孔をキャップで閉塞しているから、アダプタカバーが直接的に露出することがなくなり、美観をさらに向上できるという効果を奏し、しかもキャップが透光性を有しているから、ＬＥＤ光源部の光や、赤外線信号等を遮ることがないという効果を奏する。
【００２５】
請求項７の照明器具の発明は、不意にランプカバーがアダプタカバーから外れた際でも、キャップによってランプカバーを支持することができ、これによりランプカバーの落下防止を図ることができるという効果を奏する。
【発明を実施するための最良の形態】
【００２６】
以下に、図１〜図８を参照して本発明の照明器具の一実施形態について説明する。尚、以下の説明では、図１（ａ）の上方を照明器具の上方、図１（ａ）の下方を照明器具の下方と規定する。
【００２７】
本実施形態の照明器具１は、図１に示すように、天井面Ｘに設置された引掛シーリング（図示せず）の引掛栓刃受部（図示せず）に係止される引掛栓刃（図示せず）を上面側に有し、該引掛栓刃に一端が電気的に接続された電源線Ｌ１が下面側から導出され、器具取付用の一対の係止部９０，９０が側部に出没自在に設けられた引掛シーリング用アダプタ（以下、「アダプタ」と略す）９に取り付けられることで、天井面Ｘに設置されるものである。尚、上記のアダプタ９は、従来周知のものであるから、本実施形態では詳細な説明は省略する。
【００２８】
照明器具１は、アダプタ９が挿通される開口部２ａが上下方向に貫設されるとともに、該開口部２ａにアダプタ９が挿通された状態（つまりは、開口部２ａ内にアダプタ９が位置した状態）で係止部９０，９０に係止される被係止部となるアダプタ保持具２１を有する器具本体２と、器具本体２に収納されるとともに、電源線Ｌ１より得られる電力を元に照明負荷である蛍光ランプ８用の動作電源を生成する回路ブロック３と、器具本体２の下面側に設けられて、動作電源を蛍光ランプ８に供給するソケット４と、器具本体２における開口部２ａの下端周辺部に取り付けられて開口部２ａを開閉するアダプタカバー５とを備え、開口部２ａは、器具本体２に取り付けられた蛍光ランプ８と対向しない器具本体２の部位に設けられ、アダプタカバー５は、開口部２ａを閉じた状態で、器具本体２の下面より下方に突出する下側ボディ５０を有し、該下側ボディ５０の底壁部５０ｂには、外部の赤外線信号を受信する受光ブロック５２が露設され、回路ブロック３は、接続線Ｌ２を用いて受光ブロック５２に接続されて、受光ブロック５２部で受信した外部の赤外線信号に基づいて蛍光ランプ８を制御する点灯制御部（図示せず）を有している。
【００２９】
尚、照明器具１に用いられる蛍光ランプ８は、図２に示すように、環型蛍光灯、例えば二重環型蛍光ランプであり、環径の大きい略Ｃ字状の第１のランプ８０と、環径の小さい略Ｃ字状の第２のランプ８１と、各ランプ８０，８１にそれぞれ給電するためのプラグ部８２ａ（図１（ａ），（ｂ）参照）を有し、両ランプ８０，８１をそれぞれの両端部で保持する基部８２とを備えている。
【００３０】
以下、照明器具１の構成について詳細に説明する。器具本体２は、図２に示すように、ボディ２０と、アダプタ保持具２１と、中板２２と、カバー２３と、化粧カバー２４と、一対のランプ保持具２５，２５と、ソケット台２６とを備えている。
【００３１】
ボディ２０は、例えばアルミやステンレス鋼等の金属板を用いて形成されており、円盤状の天板部２０ａと、天板部２０ａの外周縁部から下方へ延設された円筒状の側壁部２０ｂとを一体に備えている。天板部２０ａの中央部には下方へ窪んだ略矩形状の凹部２０ｃ（図１（ａ），（ｂ）参照）が設けられており、凹部２０ｃの底部の中央部には、アダプタ９の外径と同程度の（つまりはアダプタ９を挿通できる程度の大きさの）内径を有する円形の第１のアダプタ挿通孔２０ｄが形成されている。また、ボディ２０には、ソケット台２６を側壁部２０ｂから外方へ突出させた状態で天板部２０ａに取り付けるためのソケット台用切欠部２０ｅが形成されている。
【００３２】
アダプタ保持具２１は、アダプタ９の係止部９０，９０に係止される被係止部として用いられるものであって、例えば合成樹脂成形品等からなり、上記ボディ２０の凹部２０ｃの底面と略同形状に形成されている。このアダプタ保持具２１の中央部には、アダプタ９の外径と同程度の内径を有し、ボディ２０の第１のアダプタ挿通孔２０ｄと連通する円形の第２のアダプタ挿通孔２１ａが形成されており、アダプタ保持具２１の下面における第２のアダプタ挿通孔２１ａの周縁部には、アダプタ９の外径と同程度の内径を有する周壁部２１ｂが一体に突設されており、周壁部２１ｂには、アダプタ９の係止部９０，９０がそれぞれ挿通される係止孔２１ｃ，２１ｃが形成されている。
【００３３】
したがって、アダプタ保持具２１の周壁部２１ｂ内に、アダプタ９を位置させた状態で、周壁部２１ｂの一対の係止孔２１ｃ，２１ｃにアダプタ９の一対の係止部９０，９０をそれぞれ挿通させることによって、アダプタ保持具２１がアダプタ９に係止される、つまりは器具本体２がアダプタ９に係止されることになる。
【００３４】
中板２２は、器具本体２内を、アダプタ９用の空間部と、回路ブロック３用の空間部とに仕切るものであり、アルミやステンレス鋼等の金属板を用いて形成されている。このような中板２２は、図２に示すように、ボディ２０内に収納できる程度の大きさを有する略矩形状の平板部２２ａを有しており、この平板部２２ａの中央部には、アダプタ保持具２１を挿通できる程度の大きさの挿通孔２２ｂが形成されている。さらに、平板部２２ａの下面側における挿通孔２２ｂの周縁部には、挿通孔２２ｂを囲繞する仕切り壁２２ｃが一体に突設されている。ここで、仕切り壁２２ｃには、アダプタ９と回路ブロック３とを接続するための電源線Ｌ１用の電源線挿通孔（図示せず）が貫設されている。
【００３５】
カバー２３は、ボディ２０の下面開口を閉塞するようにしてボディ２０に取り付けられるものであり、例えばアルミやステンレス鋼等の金属板を用いて形成されている。このカバー２３は、略円盤状の底板部２３ａと、底板部２３ａの周縁部から上方に向けて延設され、上方へ行くほど拡径となる略円環状の鍔部２３ｂとを一体に備えており、底板部２３ａの中央部には、中板２２の仕切り壁２２ｃの内部と連通する略矩形状の連通孔２３ｃが形成されている。また、鍔部２３ｂには、ソケット４を器具本体２の外方へ突出させるためのソケット用切欠部２３ｄが形成されるとともに、底板部２３ａの中央部を挟んでソケット用切欠部２３ｄと対向する部位には、一対のランプ保持具２５，２５をそれぞれ取り付けるための一対のねじ孔２３ｅ，２３ｅが形成されている。さらに、カバー２３の底板部２３ａの下面には、カバー２３と化粧カバー２４とを位置決めするための一対の位置決め用凹部２３ｆが形成されている。また、カバー２３の底板部２３ａには、後述する化粧カバー２４の取付孔２４ｄと連通する孔部２３ｇが形成されている。加えて、連通孔２３ｃを挟んで孔部２３ｇと対向するカバー２３の部位には、接続線Ｌ２用の挿通孔２３ｈが貫設されている。
【００３６】
化粧カバー２４は、例えば合成樹脂成形品であって、ボディ２０及びカバー２３の外径よりも大きく、且つ蛍光ランプ８の最大径よりも小さい外径を有する略円形の皿状に形成されており、その下面は、白色やクリーム色、アイボリー等の白色に近い色の光沢面となっている。この化粧カバー２４の中央部には、カバー２３の連通孔２３ｃ周片部を外部に臨ませる略円形の窓孔２４ａが形成されている。また、化粧カバー２４の下面側における窓孔２４ａの周辺部には、水平方向に離間した一対の軸受け部２４ｂが一体に突設されており、各軸受け部２４ｂには、水平方向を回転軸としてアダプタカバー５を回転自在に取り付けるための軸部５４が挿通される軸受け孔（図示せず）が設けられている。
【００３７】
さらに、化粧カバー２４の下面側において、窓孔２４ａを挟んで一対の軸受け部２４ｂに対向する部位には、凹部２４ｃが形成されている。この凹部２４ｃの底部には、後述する係止具２７を、器具本体２の上下方向（鉛直方向）を回転軸として開動自在に化粧カバー２４に取り付けるための取付孔２４ｄが設けられている。ここで、前述の係止具２７は、孔部２４ｄに回転自在に挿通されるシャフト部２７ａと、シャフト部２７ａの下端部から両側方へ突出する係止部２７ｂとを有する略Ｔ字状のものであって、後述するアダプタカバー５の固定片５０ｉとともに、アダプタカバー５を器具本体２に開口部２ａを閉じた状態で固定するための固定手段であるラッチ機構部を構成するようになっている。
【００３８】
また、化粧カバー２４における軸受け部２４ｂの近傍には、ソケット４の下面側を覆う箱状のソケットカバー２４ｅが突設されており、ソケットカバー２４ｅの下面部には、ソケット４のコンセント部４ａを下方へ突出させる開口部２４ｆが形成されている。さらに、化粧カバー２４の上面側における窓孔２４ａの周縁部には、上記カバー２３の一対の位置決め凹部２３ｆにそれぞれ嵌入される位置決め用突部２４ｇが突設されている。加えて、化粧カバー２４には、カバー２３に固定されるランプ保持具２５，２５がそれぞれ挿通される一対の挿通孔２４ｈ，２４ｈが貫設されている。一方、化粧カバー２４においてカバー２３の挿通孔２３ｈと対応する部位には、挿通孔２３ｈを挿通するガイドリブ２４ｉが設けられており、ガイドリブ２４ｉには、器具本体２内に接続線Ｌ２を導入するためのガイド溝２４ｊが設けられている。
【００３９】
ランプ保持具２５は、弾性を有する長尺状の金属板から曲成されており、一端側に、カバー２３に設けられたねじ孔２３ｅと連通するねじ挿通孔（図示せず）を有する取付片（図示せず）を有し、他端側に、蛍光ランプ８の各ランプ８０，８１を一括して保持するための腕片２５ａを有している。
【００４０】
ソケット台２６は、例えば合成樹脂成形品であり、下面側にソケット４が固定される略直方体状の台部２６ａと、台部２６ａの側面に突設されボディ２０にソケット台２６をねじ止めするためのねじ挿通孔（図示せず）を有する取付板２６ｂとを一体に備えている。
【００４１】
以上述べた部品により構成された器具本体２には、回路ブロック３とソケット４とが収納されている。
【００４２】
回路ブロック３は、蛍光ランプ８を点灯させるための安定器として用いられるものであって、例えば、中板２２の平板部２２ａに取り付けられるプリント基板３０に必要な電子部品が実装されることで構成されており、電源線Ｌ１及び接続線Ｌ２が接続される端子部（図示せず）と、電源線Ｌ１より得られた電力を元にして蛍光ランプ８駆動用の動作電源を生成するインバータ部（図示せず）と、外部の赤外線信号を元に蛍光ランプ８の点灯、消灯、調光等の制御を行う点灯制御部（図示せず）と、外部の赤外線信号を元にＬＥＤ光源部の点灯、消灯等の制御を行うＬＥＤ制御部（図示せず）とを有している。尚、このような回路ブロック３の構成については、従来周知のものを用いることができるから、詳細な説明は省略する。
【００４３】
ソケット４は、回路ブロック３で生成された動作電源を蛍光ランプ８に供給するためのものであって、図示しない接続線等を用いて回路ブロック３に電気的に接続されるとともに、蛍光ランプ８のプラグ部８２ａを接続するためのコンセント部４ａと、弾性を有する金属板から曲成されたランプ保持片４ｂ，４ｂとを有している。尚、このようなソケット４は、従来周知のものであるから、詳細な説明は省略する。
【００４４】
アダプタカバー５は、図３に示すように、下側ボディ５０と、上側ボディ５１と、外部の赤外線信号を受信する受光部となる受光ブロック５２と、ＬＥＤ光源部５３，５３とを有している。
【００４５】
下側ボディ５０は、例えば透光性を有する樹脂材料を用いて形成されており、円筒状の側壁部５０ａと、側壁部５０ａの下面開口を閉塞する円盤状の底壁部５０ｂとを一体に備えている。底壁部５０ｂの略中央部には、受光ブロック５２の下端側が嵌入される嵌入孔５０ｃが形成されるとともに、キャップ７を取り付けるための一対の円弧状の係止孔５０ｄ，５０ｄが底壁部５０ｂの径方向に離間するように貫設されている。ここで、各係止孔５０ｄは、後述するキャップ７の係止爪７１ｂが挿通できる程度の大きさの広幅部５０ｅと、後述する立ち片７１ａは挿通できるが係止爪７１ｂは挿通できない程度の大きさの狭幅部５０ｆとを有しており、広幅部５０ｅを挿通させた係止爪７１ｂを狭幅部５０ｆ側に移動させることによって、キャップ７をアダプタカバー５に取り付けることができるようになっている。また、側壁部５０ａには、軸部５４が水平方向に挿通される軸受け孔５０ｈを有する軸受け部５０ｇが設けられている。
【００４６】
そして、この軸受け部５０ｇを化粧カバー２４の一対の軸受け部２４ｂ，２４ｂ間に、軸受け部５０ｇの軸受け孔５０ｈと各軸受け部２４ｂ，２４ｂの軸受け孔を連通させた状態で配置し、これら連通された軸受け孔に軸部５４を挿通させることで、下側ボディ５０が水平方向を回転軸方向として回転自在に化粧カバー２４に取り付けられることになる。尚、軸部５４を上記の各軸受け孔に挿通させた後には、軸部５４の先部に抜け止め部材５５が被嵌され、これにより軸部５４が各軸受け孔から抜け落ちてしまうことを防止している。
【００４７】
さらに、底壁部５０ｂの中心を挟んで軸受け部５０ｇと対向する側壁部５０ａの部位には、外方に向けて固定片５０ｉ（図１（ａ），（ｂ）参照）が一体に突設されている。この固定片５０ｉには、係止具２７の係止部２７ｂを挿通できる程度の大きさに形成された長尺状の係止孔５０ｊが形成されている。したがって、この係止孔５０ｊに係止具２７の係止部２７ｂを挿通させた後に、係止具２７を回転させた際には、固定片５０ｉが係止具２７の係止部２７ｂによって係止されることになる。
【００４８】
加えて、下側ボディ５０の側壁部５０ａにおける下端側には、ランプカバー６の係止片６２ｂが係止される被係止部として用いられる円環状の鍔部５０ｋが一体に突設されており、この鍔部５０ｋの外周面を周方向に４等分する箇所には、それぞれ係止溝部５０ｌが形成されている。係止溝部５０ｌは、後述するランプカバー６の係止片６２ｂを下方から係止溝部５０ｌ内に差し入れるための縦溝部５０ｍと、縦溝部５０ｍから差し入れられた係止片６２ｂを側壁部５０ａの周方向に沿って移動させるための横溝部５０ｎとを有する略Ｌ字状のものである。つまり、この下側ボディ５０には、ランプカバー６をバヨネット構造により取り付けることができるようになっている。
【００４９】
ところで、係止溝部５０ｌの横溝部５０ｎにおける下側面には、係止片６２ｂが前記下側面に当接した状態で、係止片６２ｂが縦溝部５０ｍ側へ移動しないように規制する規制突起５０ｏが突設されており、これによりランプカバー６が不意に外れてしまうことを防止している。当然ながら、横溝部５０ｎにおける上側面と、規制突起５０ｏとの間の隙間は、係止片６２ｂの厚みより大きくしている。
【００５０】
上側ボディ５１は、下側ボディ５０の側壁部５０ａの上面開口を閉塞するようにして下側ボディ５０に被着されるものであって、透光性を有する樹脂材料を用いて形成されており、略円盤状の上壁部５１ａと、上壁部５１ａの外周縁部から下方へ延出された略円筒状の側壁部５１ｂとを有している。上壁部５１ａには、内側に窪む凹所５１ｃが設けられており、凹所５１ｃは、電源線Ｌ１をアダプタ９に接続するためのスペースとして用いられる。このような凹所５１ｃを設けているために、アダプタカバー５で開口部２ａを閉じる際に電源線Ｌ１が邪魔にならず、これにより照明器具１の厚みを薄くできるという効果を奏する。
【００５１】
また、上側ボディ５１を下側ボディ５０に取り付けた際に、下側ボディ５０の軸受け部５０ｅの近傍に位置する側壁部５１ｂの部位には、受光ブロック５２を器具本体２内の回路ブロック３に電気的に接続するための接続線Ｌ２をアダプタカバー５内に導入するための挿通孔５１ｄが形成されている。ここで、接続線Ｌ２は、可撓性を有するフラットケーブル等が用いられる。
【００５２】
一方、上壁部５１ａの下面には、凹所５１ｃを挟んで対向する位置に、各一対の位置決めリブ５１ｅ，５１ｅが形成されている。一対の位置決めリブ５１ｅ，５１ｅは、互いに対向する側面に、下端が開放されたスリット５１ｆが形成されており、このスリット５１ｆ，５１ｆに、後述するＬＥＤ光源部５３のプリント基板５３ａの両端部をそれぞれ嵌入することによって、ＬＥＤ光源部５３の位置決めを行えるようになっている。
【００５３】
さらに、上壁部５１ｅの下面における挿通孔５１ｄの近傍には、下方に突出するリブ５１ｇが突設されており、このリブ５１ｇの下面には、受光ブロック５２の位置決めに用いられる嵌合凹部５１ｈが形成されている。加えて、リブ５１ｇと凹所５１ｃを挟んで対向する上壁部５１ｅの下面には、リブ５１ｉが突設されており、このリブ５１ｉの下面には、上記リブ５１ｇと同様に、受光ブロック５２の位置決めに用いられる嵌合凹部５１ｊが形成されている。
【００５４】
受光ブロック５２は、外部のリモコン等が出力する赤外線信号を受信するための受光素子５２ａと、報知用のブザー（図示せず）と、受光素子５２ａで受け取った赤外線信号を回路ブロック３へ伝送するとともに、赤外線信号を受信したことを報知するためにブザーを発音させる制御部（図示せず）と、受光素子５２ａを露出させる窓孔５２ｂを下面に有して、受光素子５２ａ及びブザー並びに制御部が収納される合成樹脂製のボディ５２ｃとを有している。ここで、ボディ５２ｃは、その外形形状が、下側ボディ５０の嵌入孔５０ｃに嵌入できる形状に形成されており、外周面における上下方向の中央部には、ボディ５２ｃを嵌入孔５０ｃの周縁部に係止するための係止鍔部５２ｄが突設されている。したがって、ボディ５２ｃは、その下端側のみが嵌入孔５０ｃに嵌入されるようになっている。また、ボディ５２ｃの上端面には、上側カバー５１のリブ５１ｇの嵌合凹部５１ｈに対応する嵌合突部５２ｅと、リブ５１ｉの嵌合凹部５１ｊに対応する嵌合突部５２ｆとが一体に突設されている。
【００５５】
ＬＥＤ光源部５３は、例えば常夜灯等に用いられるものであって、略矩形状のプリント基板５３ａに、複数（本実施形態では４つ）のＬＥＤ５３ｂを実装することで構成されており、ＬＥＤ５３ｂは、回路ブロック３のＬＥＤ制御部により、その点灯／消灯が制御される。尚、ＬＥＤ光源部５３は、受光ブロック５２に電気的に接続され、受光ブロック５２を介して回路ブロック３のＬＥＤ制御部に接続されるようになっている。
【００５６】
ランプカバー６（セードともいう）は、透光性を有する白色の合成樹脂材料を用いて、蛍光ランプ８の最大径よりも大きい外径を有する略円形皿状に形成され、中央部に化粧カバー２４の窓孔２４ａの内径よりも大きい内径を有する略円形の孔部６０ａを有する傘部６０と、傘部６０の孔部６０ａ周縁部から上方へ延設された略円筒状の周壁部６１と、下側ボディ５０の鍔部５０ｋの外径と略同じ大きさの内径を有する略円形の窓孔６２ａを有する円環状の係止リング６２と、係止リング６２が周壁部６１内に位置するように係止リング６２を周壁部６１の内周面に連結する４つの梁部６３とを有している。そして、係止リング６２の内周面には、アダプタカバー５の鍔部５０ｋに設けられた４つの係止溝部５０ｌにそれぞれ対応する前述の係止片６２ｂが一体に突設されている。
【００５７】
また、ランプカバー６は、傘部６０及び周壁部６１並びに係止リング６２の中心軸がそれぞれ一致するように構成されている。加えて、ランプカバー６は、器具本体２に取り付けられた際に、その外周縁部において、化粧カバー２４との間に、図１（ａ）に示すように、隙間Ｄが形成されるように構成されており、これにより蛍光ランプ８の光を天井照明に用いることができるようにしている。
【００５８】
キャップ７は、透光性を有する白色の合成樹脂材料を用いて形成されており、ランプカバー６の係止リング６２の内径よりも大きい外径を有する円形の円盤部７０と、円盤部７０の上面に、アダプタカバー５の一対の係止孔５０ｄ，５０ｄにそれぞれ対応するように突設された一対の係止部７１，７１とを一体に備えている。この係止部７１は、円盤部７０の上面から上方に突出された前述の立ち片７１ａと、立ち片７１ａの先端部から円盤部７０の中心側に向けて突出する前述の係止爪７１ｂとを有する略Ｌ字状に形成されている。
【００５９】
以上により本実施形態の照明器具１は構成されており、次に、照明器具１の組立方法について説明する。
【００６０】
まず、器具本体２のボディ２０には、アダプタ保持具２１が、第２のアダプタ挿通孔２１ａをボディ２０の第１のアダプタ挿通孔２０ｄに連通させるとともに、周壁部２１ｂを下方に向けた状態で、ボディ２０の天板部２０ａの下面側にねじ止め等によって取り付けられる。また、ボディ２０には、ソケット台２６が、ソケット台用切欠部２０ｅを介して側壁部２０ｂの外方へ台部２６ａを突出させた状態で、取付板２６ｂを天板部２０ａの下面側にねじ止めすることにより取り付けられる。
【００６１】
このようにアダプタ保持具２１及びソケット台２６が取り付けられたボディ２０の下面には、中板２２が、挿通孔２２ｂ内にアダプタ保持具２１を位置させるとともに、仕切り壁２２ｃにてアダプタ保持具２１を囲繞するようにして、ねじ止め等により取り付けられる。この後に、中板２２には回路ブロック３が、ソケット台２６の台部２６ａにはソケット４がそれぞれ取り付けられるとともに、回路ブロック３とソケット４とが図示しない接続線を用いて接続される。このとき、電源線Ｌ１の一端を回路ブロック３に接続するとともに、他端を仕切り壁２２ｂの電源線挿通孔を介して仕切り壁２２ｃ内に導出しておく。また、接続線Ｌ２の一端を回路ブロック３に接続しておく。
【００６２】
そして、ボディ２０には、その下面開口を閉塞するようにしてカバー２３がねじ止め等により取り付けられる。ここで、カバー２３をボディ２０に取り付ける際には、中板２２の仕切り壁２２ｂの内部とカバー２３の連通孔２３ｃとを連通させるとともに、ソケット４をカバー２３のソケット用切欠部２３ｄから下方へ突出させ、且つ接続線Ｌ２を挿通孔２３ｈに挿通させた状態で取り付けを行う。
【００６３】
この次に、化粧カバー２４の取り付けを行うのであるが、この取り付け作業は次のようにして行われる。すなわち、化粧カバー２４の一対の位置決め用突部２４ｇ，２４ｇを、カバー２３の一対の位置決め用凹部２３ｆにそれぞれ嵌入するとともに、接続線Ｌ２をガイドリブ２４ｉのガイド溝２４ｊ内に位置させた状態で、ねじ止め等によって化粧カバー２４をカバー２３に取り付けるのである。このようにして化粧カバー２４をカバー２３に取り付けた際には、化粧カバー２４の窓孔２４ａから、カバー２３の連通孔２３ｃ周片部が外部に臨むとともに、化粧カバー２４のソケットカバー２４ｅの開口部２４ｆからソケット４のコンセント部４ａ及びランプ保持片４ｂ，４ｂが外部に臨むことになる。
【００６４】
また、化粧カバー２４の取付作業に並行して、ランプ保持具２５，２５の取り付けが行われる。ここで、ランプ保持具２５は、腕片２５ａを化粧カバー２４の挿通孔２４ｈから下方へ突出させた状態で、一端側に設けられたねじ挿通孔を挿通させた固定ねじ（図示せず）をカバー２３のねじ孔２３ｅに螺着することでカバー２３に取り付けられる。さらに、カバー２３に化粧カバー２４を取り付けた際には、カバー２３の孔部２３ｇと、化粧カバー２４の２４ｄが連通しており、これらを用いて係止具２７が上下方向を回転軸として回転自在に取り付けられる。
【００６５】
以上により器具本体２が構成されており、この器具本体２では、ボディ２０の第１のアダプタ挿通孔２０ｄと、アダプタ保持具２１の第２のアダプタ挿通孔２１ａ及び周壁部２１ｂの内部と、中板２２の挿通孔２２ｂ及び仕切り壁板２２ｃの内部と、カバー２３の連通孔２３ｃと、化粧カバー２４の窓孔２４ａとがそれぞれ連通することによって、アダプタ９が挿通される開口部２ａが構成されており、この開口部２ａは、図１（ａ），（ｂ）に示すように、蛍光ランプ８を器具本体２に取り付けた際に、蛍光ランプ８の内側に臨む器具本体２の部位に設けられている。一方、開口部２ａ内に位置するアダプタ保持具２１が、上述したように開口部２ａにアダプタ９が挿通された状態で係止部９０，９０に係止される被係止部として用いられる。さらに、器具本体２では、接続線Ｌ２の他端が、カバー２３の挿通孔２３ｈを挿通したガイドリブ２４ｉのガイド溝２５ｊを介して器具本体２外へ導出されている。
【００６６】
そして、器具本体２にはアダプタカバー５が次のようにして取り付けられる。まず、下側ボディ５０の化粧カバー２４への取り付けを行う。この取り付け作業は、軸受け部５０ｇを化粧カバー２４の一対の軸受け部２４ｂ，２４ｂ間に、軸受け部５０ｇの軸受け孔５０ｈと各軸受け部２４ｂ，２４ｂの軸受け孔を連通させた状態で配置し、これら連通された軸受け孔に軸部５４を挿通させることで行われ、これにより、下側ボディ５０が、水平方向を回転軸方向として回転自在に化粧カバー２４に取り付けられる。尚、軸部５４を上記の各軸受け孔に挿通させた後には、軸部５４の先部に抜け止め部材５５を被嵌する。
【００６７】
次に、受光ブロック５２を、下側ボディ５０に、ボディ５２ｃの下端側を下側ボディ５０の嵌入孔５０ｃに嵌入させ、係止鍔部５２ｄを下側ボディ５０の底壁部５０ｂ上面における嵌入孔５０ｃの周縁部に係止させた状態で収納し、この状態で、接続線Ｌ２の他端を受光ブロック５２に接続する。この後に、上側ボディ５１を下側ボディ５０に被嵌し、ねじ止め等により上側ボディ５１を下側ボディ５０に固定する。
【００６８】
そして、上側ボディ５１を下側ボディ５０に固定した際には、受光ブロック５２の各嵌合突部５２ｅ，５２ｆと上側ボディ５１の各リブ５１ｇ，５１ｉの嵌合凹部５１ｈ，５１ｊとがそれぞれ凹凸嵌合することによって受光ブロック５２がアダプタカバー５に対して固定され、且つ接続線Ｌ２が挿通孔５１ｄを介してアダプタカバー５から外部へ引き出された状態となる。
【００６９】
また、上側ボディ５１の下側ボディ５０への取り付けに並行して、ＬＥＤ光源部５３，５３が両ボディ５０，５１内に収納される。このとき、各ＬＥＤ光源部５３は、ＬＥＤ５３ｂをアダプタカバー５の外方に向けるとともに、一対の位置決めリブ５１ｅ，５１ｅのスリット５１ｆ，５１ｆに、プリント基板５３ａの両端部をそれぞれ嵌入することによって、上側ボディ５１に位置決めされ、図示しないリード線を用いて受光ブロック５２に接続される。
【００７０】
以上によりアダプタカバー５が、図４（ａ），（ｂ）に示すように、器具本体２の上下方向に略直交する方向（本実施形態では水平方向）を回転軸として回転自在に化粧カバー２４に取り付けられ、これによりアダプタカバー５の回転動作に応じて器具本体２の開口部２ａを開閉することができるようになる。
【００７１】
ところで、アダプタカバー５で開口部２ａを閉じた際には、図１（ａ）に示すように、上側ボディ５１が化粧カバー２４の窓孔２４ａに嵌入されるとともに、下側ボディ５０が化粧カバー２４から下方へ突出した状態となる。つまり、アダプタカバー５の下面（下側ボディ５０の底壁部５０ｂの下面）が、器具本体２の下面（化粧カバー２４の下面）よりも下方に突出する突出面となっており、このような底壁部５０ｂの嵌入孔５０ｃから受光ブロック５２が露出していることにより、外部の赤外線信号を受光ブロック５２の受光素子５２ａで受信し易くなっている。
【００７２】
また、アダプタカバー５の上側ボディ５１に凹所５１ｃが設けられているので、アダプタカバー５で開口部２ａを閉じた際には、図１（ａ）に示すように、凹所５１ｃ内に電源線Ｌ１が収納され、これによりアダプタカバー５を閉じる際に電源線Ｌ１が邪魔にならなくなって、凹所５１ｃを設けていない場合に比べて照明器具１の厚みを薄くできるという効果を奏する。
【００７３】
ここで、開口部２ａを閉じるようにアダプタカバー５を回転させて、固定片５０ｉを化粧カバー２４の凹部２４ｃ内に挿入し、固定片５０ｉの係止孔５０ｊに係止具２７の係止部２７ｂを挿通させるとともに、係止具２７を（上下方向を回転軸として）約９０度回転させることで、固定片５０ｉを係止具２７の係止部２７ｂで係止でき、これによりアダプタカバー５を器具本体２に開口部２ａを閉じた状態で固定できるようになっている。
【００７４】
このような係止具２７は、器具本体２において開口部２ａを挟んでソケット４と対向する位置に設けられているので、蛍光ランプ８の点灯中に高温となるソケット４及び蛍光ランプ８のフィラメント（図示せず）近傍から離れており、これにより係止具２７や固定片５０ｉが熱による影響を受け難くなるという効果を奏し、また係止具２７を操作する際にソケット４等が邪魔になることがないという効果を奏する。
【００７５】
一方、ランプカバー６は、上記のようにアダプタカバー５が器具本体２に固定された状態で、アダプタカバー５に取り付けられる。すなわち、ランプカバー６は、図５（ａ）に示すように、係止リング６２の内周面に突設された４つの係止片６２ｂを、アダプタカバー５の鍔部５０ｋに設けられた４つの係止溝部５０ｌの縦溝部５０ｍにそれぞれ挿入した後にランプカバー６をアダプタカバー５に対して上下方向を回転軸として回転させて、各係止片６２ｂを横溝部５０ｎ側へ移動させることで、アダプタカバー５に取り付けられる。このようにしてランプカバー６をアダプタカバー５に取り付ける際には、ランプカバー６の窓孔６２ａから露出するアダプタカバー５を見ながら取付作業を行うことができるから、取付作業を容易に行うことができるという効果を奏する。
【００７６】
そして、ランプカバー６をアダプタカバー５に取り付けた後には、キャップ７をアダプタカバー５に取り付ける作業を行う。このキャップ７の取り付け作業は、図５（ｂ）に示すように、一対の係止部７１の係止爪７１ｂを、アダプタカバー５の一対の係止孔５０ｄの広幅部５０ｅに挿通した後に、キャップ７をアダプタカバー５に対して上下方向を回転軸として回転させて、係止爪７１ｂを狭幅部５０ｆ側へ移動させることによって行う。
【００７７】
このようなキャップ７によれば、ランプカバー６の窓孔６２ａを閉塞できるから、アダプタカバー５が直接的に露出することがなくなり、照明器具１の美観を向上できるという効果を奏し、しかもキャップ７が透光性を有しているから、ＬＥＤ光源部５３の光や、赤外線信号を遮ることがないという効果を奏する。また、キャップ７の外径を、窓孔６２ａの内径よりも大きく設定してあるので、不意にランプカバー６がアダプタカバー５から外れた際でも、キャップ７によってランプカバー６を支持することができ、これによりランプカバー６の落下防止を図ることができるという効果を奏する。
【００７８】
以上により本実施形態の照明器具１が構成されており、蛍光ランプ８の取り付け作業は、ランプカバー６及びキャップ７をアダプタカバー５から取り外した後に（取り外す際には、上記の取り付け時とは逆の作業を行えばよい）、各ランプ保持具２５，２５の腕片２５ａに蛍光ランプ８の両ランプ８０，８１を一括して保持させるとともに、基部８２のプラグ部８２ａをソケット４のコンセント部４ａに接続し、同時にソケット４のランプ保持片４ｂ，４ｂにより基部８２を保持させ、再度ランプカバー６及びキャップ７を取り付けることで行われる。
【００７９】
次に、照明器具１のアダプタ９への取り付け方法について説明する。まず、器具本体２のアダプタカバー５からランプカバー６及びキャップ７をそれぞれ取り外した後に、係止具２７による固定片５０ｉの係止状態を解除し、アダプタカバー５を回転させて、開口部２ａを開いた状態とする。この状態で、器具本体２の開口部２ａに上側からアダプタ９を挿入し、アダプタ保持具２１の周壁部２１ｂ内に、アダプタ９を位置させた状態で、周壁部２１ｂの一対の係止孔２１ｃ，２１ｃにアダプタ９の一対の係止部９０，９０をそれぞれ挿通させることによって、図１（ｂ）に示すように、器具本体２がアダプタ９に取り付けられる。
【００８０】
このとき、開口部２ａが器具本体２において蛍光ランプ８と対向しない中央部に設けられるとともに、アダプタカバー５が開口部２ａ周辺部に、水平方向を回転軸方向として回転自在に取り付けられているので、蛍光ランプ８がアダプタカバー５の開閉動作の邪魔にならず、これにより蛍光ランプ８を取り付けたままであっても、アダプタカバー５の開閉動作を行えるようになっており、結果として、蛍光ランプ８を取り付けたまま、アダプタ９との着脱作業が行えるようになっている。
【００８１】
そして、仕切り壁２２の電源線挿通孔を介して開口部２ａ内に導出されている電源線Ｌ１をアダプタ９に電気的に接続することによって、電源線Ｌ１がアダプタ９の引掛栓刃に電気的に接続され、このようなアダプタ９の下面側から導出された電源線Ｌ１によって、外部の商用電源から回路ブロック３への電力供給が行われることになる。
【００８２】
器具本体２をアダプタ９に取り付けた後には、アダプタカバー５で開口部２ａを閉じ、上述したように係止具２７にてアダプタカバー５を器具本体２に固定する。この後に、ランプカバー６及びキャップ７を上記のようにして取り付けることで、照明器具１のアダプタ９への取付作業が完了し、これにより図１（ａ）に示すように、照明器具１が天井面Ｘに設置されることになる。一方、照明器具１をアダプタ９から取り外す際には、キャップ７及びランプカバー６をアダプタカバー５から取り外した後に、アダプタカバー５を回転させて開口部２ａを開き、アダプタ保持具２１とアダプタ９との係止状態を解除すればよい。尚、以上述べたような器具本体２をアダプタ９に着脱する作業は、開口部２ａからアダプタ９を直視した状態で行えるため作業性がよい。
【００８３】
ところで、以上述べたような照明器具１では、外部のリモコン等によって所定の赤外線信号を受光ブロック５２に送信することによって、蛍光ランプ８の点灯／消灯／調光等の制御や、ＬＥＤ光源部５３の点灯／消灯／調光等の制御を行うことができるように構成されている。
【００８４】
ここで、蛍光ランプ８を点灯させた際には、蛍光ランプ８から下方へ放射された光は、ランプカバー６を透過して下方へ出射される一方、蛍光ランプ８から上方へ放射された光のうち器具本体２の内側に向かった光は、化粧カバー２４の下面で反射された後に、ランプカバー６の周壁部６１と係止リング６２との隙間を通って器具本体２の下方へ出射され、或いはアダプタカバー５やキャップ７を透過して器具本体２の下方へ出射され、これにより室内の照明を行うことができる。
【００８５】
また、蛍光ランプ８から上方へ放射された光のうち器具本体２の外側に向かった光は、器具本体２の化粧カバー２４とランプカバー６との間の隙間Ｄから器具本体２の外方に出射され、この光は、天井面Ｘを照らす天井照明に用いられる。
【００８６】
一方、照明器具１は、ＬＥＤ光源部５３によっても照明を行えるように構成されており、ＬＥＤ光源５３を点灯させた際には、下側ボディ５０と上側ボディ５１とは、ともに透光性を有する樹脂材料を用いて形成されているため、ＬＥＤ光源部５３の放射する光は、各ボディ５０，５１を透過して、アダプタカバー５外へと出射されることになる。つまり、各ボディ５０，５１が、ＬＥＤ光源部５３が放射する光を外部へ出射する窓部として用いられている。
【００８７】
そして、アダプタカバー５から側方へ放射されたＬＥＤ光源部５３の光のうち上方へ向かう光は、器具本体２の化粧カバー２４とランプカバー６との隙間Ｄから器具本体２の外方に出射されて天井照明に用いられる一方、アダプタカバー５から側方へ放射されたＬＥＤ光源部５３の光のうち下方へ向かう光は、ランプカバー６の周壁部６１と係止リング６２との隙間を通って、主に周壁部６１の内面を照らすために用いられる。また、アダプタカバー５から下方へ放射されたＬＥＤ光源部５３の光は、キャップ７を透過して器具本体２の下方へ出射される。このようなＬＥＤ光源部５３の光は、例えば常夜灯として用いられる。
【００８８】
以上述べたように本実施形態の照明器具１では、アダプタ９を覆うアダプタカバー５において、開口部２ａを閉じた状態で器具本体２の下面（化粧カバー２４の下面）よりも下方に突出する突出面（つまりは、下側ボディ５０の下面）に受光ブロック５２を露設しているので、受光ブロック５２の受光素子５２ａが赤外線信号を受信し易くなって、赤外線通信による制御の信頼性を向上できるとともに、引掛シーリング用アダプタを隠して美観を向上できるという効果を奏する。
【００８９】
しかもアダプタカバー５は器具本体２の開口部２ａを開閉するようにして器具本体２に取り付けられているから、器具本体２をアダプタ９に着脱する際に、従来のようにアダプタカバーを完全に取り外さなくて済み、これにより器具本体２の回路ブロック３とアダプタカバー５の受光ブロック５２との接続作業を行う必要がなくなって、アダプタカバー５で開口部２ａを開くだけの簡単な作業でアダプタ９への着脱を行うことができるようになり、その結果、器具本体２のアダプタ９への着脱作業が容易に行えるという効果を奏する。さらに着脱作業時にアダプタカバー５が器具本体２から不意に落下してしまうことを防止できるという効果を奏する。
【００９０】
また、アダプタカバー５は、器具本体２の上下方向に略直交する方向（水平方向）を回転軸方向として器具本体２における開口部２ａの下端周辺部に回転自在に取り付けられており、回転動作に応じて開口部を開閉するように構成されている。そのため、アダプタカバー５を開閉する際にアダプタカバー５が移動する範囲と器具本体２とが重複する面積が、アダプタカバー５を上下方向を回転軸として器具本体２に取り付けた場合に比べて小さくなり、これによりアダプタカバー５の開閉時に照明負荷である蛍光ランプ８やソケット４等の他の部品が邪魔になることを抑制できるという効果を奏する。
【００９１】
ところで、従来から図８（ａ）に示すような照明器具３００が提供されている。この照明器具３００は、引掛シーリング等を用いて天井に設置される略円形の箱状の器具本体３１０と、器具本体３１０の下面に取り付けられる二重環型の蛍光ランプ３３０，３４０を覆うドーム状のランプカバー３２０とを有しており、ランプカバー３２０は、蛍光ランプ３３０，３４０の外側に位置する器具本体３１０の外縁部３１１で器具本体３１０に取り付けられている。
【００９２】
また、図８（ｂ）に示すような照明器具４００が提供されている。この照明器具４００は、引掛シーリング等を用いて天井に設置される略円形の箱状の器具本体４１０と、器具本体４１０の下面に取り付けられる二重環型の蛍光ランプ４３０を覆う円形の皿状のランプカバー４２０とを有しており、ランプカバー４２０は、蛍光ランプ４３０の外側に位置する器具本体４１０の外縁部４１１で器具本体４１０に取り付けられている。
【００９３】
一方、図８（ｃ）に示すような照明器具５００が提供されており、この照明器具５００は、略円形の箱状の器具本体５１０と、器具本体５１０の下面側に取り付けられる複数の白熱灯（又は電球形蛍光ランプ）５３０…を覆うドーム状のランプカバー５２０とを有している。そして、ランプカバー５２０は、蛍光ランプ５３０…の内側に位置する器具本体５１０の下面中央部に設けられた取付具５１１を用いて器具本体５１０に取り付けられている。
【００９４】
以上述べたような従来の照明器具３００において、蛍光ランプ３３０，３４０を点灯させた際には、蛍光ランプ３３０，３４０の外側に位置する器具本体３１０の外縁部３１１でランプカバー３２０が器具本体３１０に取り付けられているために、蛍光ランプ３３０，３４０より放射された光が、外縁部３１１（つまりは、ランプカバー３２０を器具本体３１０に取り付けるための部位）によって遮られて、天井面に影が生じ、天井照明の見栄えが悪くなってしまうという問題があった。
【００９５】
このような問題点は、図８（ｂ）に示す照明器具４００においても同様であり、この照明器具４００では、蛍光ランプ４３０の外側に位置する器具本体４１０の外縁部４１１によって、蛍光ランプ４３０より放射された光が遮られてしまっていた。
【００９６】
これら照明器具３００，４００に対して、図８（ｃ）に示す照明器具５００では、蛍光ランプ５３０…の内側に位置する器具本体５１０の下面中央部に設けられた取付具５１１を用いてランプカバー５２０が器具本体５１０に取り付けられているために、天井面に影が生じて見栄えが悪くなってしまうことはない。しかしながら、照明器具５００では、取付具５１１のようなランプカバー５２０を取り付けるためだけに用いられる別部品が必要となるために、部品点数が増え、製造コストが高くなってしまうという別の問題が生じていた。
【００９７】
これら従来の照明器具３００，４００，５００に対して、本実施形態の照明器具１によれば、蛍光ランプ８の内側に臨む部位においてランプカバー６がアダプタカバー５に取り付けられているので、天井照明を行う際に、ランプカバー６を器具本体２に取り付けるための部位（ランプカバー６の係止片６２ｂ及びアダプタカバー５の鍔部５０ｋ）が邪魔になることがなくなり、これにより天井面に影が生じて見栄えが悪くなってしまうことを防止できるという効果を奏する。
【００９８】
したがって、蛍光ランプ８を点灯させた際には、上述したように蛍光ランプ８から上方へ放射された光のうち器具本体２の外側へ向かった光は、ランプカバー６の係止片６２ｂ及びアダプタカバー５の鍔部５０ｋ等に邪魔されることなく、器具本体２の化粧カバー２４とランプカバー６との間の隙間Ｄから器具本体２の外方に出射され、これにより好適な天井照明が行えるようになる。
【００９９】
しかも、器具本体２の開口部２ａを開閉するアダプタカバー５を、ランプカバー６を器具本体２に取り付ける部品として兼用しているので、器具本体２にランプカバー６を取り付けるための部品を新たに設ける必要がなくなり、これにより部品点数の削減を図ることができて製造コストの増加を防止できるという効果を奏する。その上、ランプカバー６をアダプタカバー５に取り付ける際には、ランプカバー６の窓孔６２ａから露出するアダプタカバー５を見ながら取付作業を行うことができるから、取付作業を容易に行うことができるという効果を奏する。
【０１００】
一方、上記の例では、アダプタカバー５に、ランプカバー６を取り付けるための鍔部５０ｋを設けていたが、例えば図６に示すように、アダプタカバー５に鍔部５０ｋを設ける代わりに、化粧カバー２４の下面における窓孔２４ａの周縁部に、ランプカバー６の係止片６２ｂを係止する被係止部２９を一体に設けるようにしてもよい。
【０１０１】
この被係止部２９は、化粧カバー２４の下面における窓孔２４ａの周縁部に、各係止片６２ｂにそれぞれ対応してもうけられた略円弧状のリブからなり、その外側面には、周方向における一端側が開口した係止溝部２９ａが設けられている。そして、ランプカバー６の取り付けは、ランプカバー６を化粧カバー２４に対して上下方向を回転軸として回転させて、ランプカバー６の係止片６２ｂを、一端開口から係止溝部２９ａ内に挿入することによって行う。尚、係止溝部２９ａは、他端が閉塞されているので、ランプカバー６を安定した状態で取り付けることが可能となる。
【０１０２】
以上述べたように、被係止部２９を化粧カバー２４に設けた場合であっても、蛍光ランプ８の内側に臨む部位においてランプカバー６が化粧カバー２４に取り付けられているので、天井照明を行う際に、ランプカバー６を器具本体２に取り付けるための部位（ランプカバー６の係止片６２ｂと化粧カバー２４の被係止部２９）が邪魔になることがなくなり、これにより天井面に影が生じて見栄えが悪くなってしまうことを防止できるという効果を奏する。しかも、化粧カバー２４を、ランプカバー６を器具本体２に取り付ける部品として兼用しているので、器具本体２にランプカバー６を取り付けるための部品を新たに設ける必要がなくなり、これにより部品点数の削減を図ることができて製造コストの増加を防止できるという効果を奏する。その上、ランプカバー６を化粧カバー２４に取り付ける際には、ランプカバー６の窓孔６２ａから露出する化粧カバー２４の被係止部２９を見ながら取付作業を行うことができるから、取付作業を容易に行うことができるという効果を奏する。
【図面の簡単な説明】
【０１０３】
【図１】（ａ）は、本発明の照明器具の概略断面図であり、（ｂ）は、アダプタカバーを開いた状態を示す概略断面図である。
【図２】照明器具の分解斜視図である。
【図３】アダプタカバーの分解斜視図である。
【図４】（ａ）は、アダプタカバーを開いた状態を示す斜視図であり、（ｂ）は、アダプタカバーを開いた状態を示す他方の斜視図である。
【図５】（ａ）は、ランプカバーの取り付け説明図であり、（ｂ）は、キャップの取り付け説明図である。
【図６】照明器具の他例の要部の斜視図である。
【図７】（ａ）は、アダプタカバーを取り付けた状態を示す要部の説明図であり、（ｂ）は、アダプタカバーを取り外した状態を示す要部の説明図であり、（ｃ）は、従来の照明器具の下面図である。
【図８】（ａ）は、さらに他の従来例の照明器具の一部を切り欠いた側面図であり、（ｂ）は、さらに他の従来例の照明器具の一部を切り欠いた側面図であり、（ｃ）は、さらに他の従来例の照明器具の一部を切り欠いた側面図である。
【符号の説明】
【０１０４】
１    照明器具
２    器具本体
２ａ  開口部
３    回路ブロック
４    ソケット
５    アダプタカバー
５０  下側ボディ
５０ｂ  底壁部
５２  受光ブロック
８    蛍光ランプ
９    アダプタ
Ｌ１  電源線
Ｌ２  接続線
【図１】
0004631738.tif 000002
【図２】
0004631738.tif 000003
【図３】
0004631738.tif 000004
【図４】
0004631738.tif 000005
【図５】
0004631738.tif 000006
【図６】
0004631738.tif 000007
【図７】
0004631738.tif 000008
【図８】
0004631738.tif 000009